(57)【要約】      （修正有）【課題】ハニカムコアの製造が、現地使用場所等で可能となり、もって輸送性やハンドリング性等の供給性が向上し、簡単，容易，迅速に防壁を形成可能となる、ハニカムコアの製造方法を提案する。【解決手段】この製造方法では、母材シートを重積すると共に半ピッチずつずれた位置関係で条線接合し、もって得られたブロック体６を展張することにより、ハニカムコア１を製造する。そして、このような展張方式の製造方法において、ブロック体を、車輌Ｅの駆動牽引力にて展張することを、特徴とする。すなわちブロック体６は、ハニカムコア１の現地使用場所等まで輸送され、その場所にて、展張用フレーム７先端の拘束部８を、ブロック体に連結し、展張用フレーム基端の取付部９を、車輌に連結してから、車輌を走行駆動させ、もって、その駆動牽引力を展張用の引張力として利用する。【選択図】図１
2020015064.tif 000002
【特許請求の範囲】
【請求項１】
母材シートを、重積すると共に半ピッチずつずれた位置関係で条線接合し、もって得られたブロック体を展張することにより、該母材シートにてセル壁が形成される、ハニカムコアの製造方法において、
該ブロック体を車輌に接続し、もって該車輌の駆動牽引力にて展張を実施すること、を特徴とするハニカムコアの製造方法。
【請求項２】
請求項１において、該ブロック体は、該ハニカムコアの現地使用場所，その他の任意適宜場所まで輸送された後、その場所にて展張用フレームが使用され、
該展張用フレーム先端の拘束部を、該ブロック体に連結すると共に、該展張用フレーム基端の取付部を、該車輌に連結してから、
該車輌を走行駆動させ、もって、その駆動牽引力を展張用の引張力として利用し、該ブロック体に重積方向を展張方向として引張力を加えることにより、展張が行われ、
製造された該ハニカムコアは、該セル壁にて区画形成された多数のセルの平面的集合体よりなること、を特徴とするハニカムコアの製造方法。
【請求項３】
請求項２において、該ハニカムコアは、該ブロック体を現地使用場所に輸送し展張して製造されると共に、上下に形成した杭挿入穴に杭を貫挿することにより、地面に固定され、もって防壁として使用されること、を特徴とするハニカムコアの製造方法。
【発明の詳細な説明】
【技術分野】
【０００１】
本発明は、ハニカムコアの製造方法に関する。すなわち、ハニカムコアを展張方式にて製造する、ハニカムコアの製造方法に関する。
【背景技術】
【０００２】
《技術的背景》
ハニカムコア１は、例えば図４の（３）図に示したように、セル壁２にて区画形成された、六角形等の中空柱状の多数のセル３の平面的集合体よりなる。
そして、軽量であると共に高い強度や剛性を備えており、更に、単位容積当りの表面積が大である、その他の優れた特性を備えており、各種の構造材等として広く用いられている。
【０００３】
《従来技術》
このようなハニカムコア１の製造方法としては、展張方式が代表的である。展張方式では、図４の（１）図，（２）図に示したように、条線状に接着剤４等の接合材が塗布された母材シート５が、多数枚、半ピッチずつずれた位置関係で、重積方向Ａに重積される。そして加熱加圧により、母材シート５間が条線状に接合される。
それから、このように重積，条線接合された母材シート５のブロック体６を、重積方向Ａを展張方向Ｂとして引張力を加えて展張することにより、母材シート５にてセル壁２が形成され、図４の（３）図に示したハニカムコア１が、製造される。
【先行技術文献】
【特許文献】
【０００４】
このような展張方式のハニカムコア１の製造方法としては、例えば、次の特許文献１，２中に示されたものが挙げられる。
【特許文献１】特開２００７―１１８０８６号公報
【特許文献２】特開２００４―３１４３２３号公報
【発明の概要】
【発明が解決しようとする課題】
【０００５】
ところで、このような従来技術については、次の問題が指摘されていた。
《第１の問題点：製造場所について》
ハニカムコア１は、一般に展張方式により製造されており、展張方式では上述したように、母材シート５のブロック体６に引張力を加えて展張することにより、ハニカムコア１が製造される。
そして従来の展張方式の製造方法において、このような展張作業は、工場等において、専用の展張機を使用して行われていた。工場等に固定設置され、強力な引張力を加えることができる専用の展張機を用いて、ブロック体６を展張する定置作業により、ハニカムコア１が製造されていた。
このようにハニカムコア１は、従来、工場等の展張機の設置場所を製造場所として、展張方式により製造されていた。製造場所が工場等に限定されており、利便性，自在性に欠けるという難点が存していた。
【０００６】
《第２の問題点：供給性について》
又、製造されたハニカムコア１が嵩張って、輸送やハンドリング等の供給性に、難を生じることがあった。
すなわちハニカムコア１は、前述したように、単位容積当りの表面積が大であるという特性を備えている反面、その分、体積，大きさが大となる。もって、その輸送性，搬送性やハンドリング性，取扱い性等の供給性について、スムーズ化が求められることが多々あった。
例えば、サイズの大きいハニカムコア１を空輸する場合、展張方式の展張機のある工場等の製造場所から、実際の現地使用場所間の供給性について、改善を求められるケースがあった。
【０００７】
《本発明について》
本発明のハニカムコアの製造方法は、このような実情に鑑み、上記従来技術の課題を解決すべくなされたものである。
そして本発明は、第１に、ハニカムコアの製造が、現地使用場所，その他の任意適宜場所で可能となり、第２に、もって輸送性やハンドリング性等の供給性が向上し、第３に、使用例として、簡単，容易，迅速に防壁が形成可能となる、ハニカムコアの製造方法を提案することを目的とする。
【課題を解決するための手段】
【０００８】
《各請求項について》
このような課題を解決する本発明の技術的手段は、特許請求の範囲に記載したように、次のとおりである。
請求項１については、次のとおり。
請求項１のハニカムコアの製造方法では、母材シートを、重積すると共に半ピッチずつずれた位置関係で条線接合し、もって得られたブロック体を展張することにより、該母材シートにてセル壁が形成される。
そして、該ブロック体を車輌に接続し、もって該車輌の駆動牽引力にて展張を実施すること、を特徴とする。
請求項２については、次のとおり。
請求項２のハニカムコアの製造方法では、請求項１において、該ブロック体は、該ハニカムコアの現地使用場所，その他の任意適宜場所まで輸送された後、その場所にて展張用フレームが使用される。
すなわち、該展張用フレーム先端の拘束部を、該ブロック体に連結すると共に、該展張用フレーム基端の取付部を、該車輌に連結する。それから該車輌を走行駆動させ、もって、その駆動牽引力を展張用の引張力として利用し、該ブロック体に重積方向を展張方向として引張力を加えることにより、展張が行われる。
もって製造された該ハニカムコアは、該セル壁にて区画形成された多数のセルの平面的集合体よりなること、を特徴とする。
請求項３については、次のとおり。
請求項３のハニカムコアの製造方法では、請求項２において、該ハニカムコアは、該ブロック体を現地使用場所に輸送し展張して製造されると共に、上下に形成した杭挿入穴に杭を貫挿することにより、地面に固定され、もって防壁として使用されること、を特徴とする。
【０００９】
《作用等について》
本発明は、このような手段よりなるので、次のようになる。
（１）このハニカムコアの製造方法は、展張方式よりなり、母材シートを重積，条線接合したブロック体を展張することにより、ハニカムコアを製造する。
（２）そして本発明は、このような展張を、車輌の駆動牽引力にて実施することを特徴とする。
（３）すなわち、予め準備された母材シートのブロック体を、現地使用場所，その他の任意適宜場所まで輸送すると共に、現地の汎用車輌に接続する。そして車輌の駆動牽引力を、展張用の引張力として伝達，利用して、ブロック体を展張する。
（４）このように本発明では、現地使用場所，その他の任意適宜場所を、展張場所，製造場所として、ハニカムコアを製造可能となる。
（５）そこで体積，大きさが大のハニカムコアが嵩張って、輸送性，搬送性やハンドリング性，取扱い性等に、難が生じるようなことは回避される。ハニカムコアは、その場所で製造されて使用に供される。
（６）なお、展張対象のブロック体は未展張状態なので、体積，大きさが小で嵩張らず、輸送性やハンドリング性等に優れている。
（７）そこで、本発明に係るハニカムコアの製造方法は、次の効果を発揮する。
【発明の効果】
【００１０】
《第１の効果》
第１に、展張作業そしてハニカムコアの製造が、現地使用場所，その他の任意適宜場所で可能となる。
本発明のハニカムコア製造方法では、母材シートのブロック体を、現地使用場所，その他の任意適宜場所まで輸送して、汎用車両に接続し、もって、車輌の駆動牽引力を展張用の引張力として展張を実施する。
このように本発明の製造方法によると、ハニカムコアを、現地使用場所，その他の任意適宜場所を製造場所として、製造可能である。
そこで、前述したこの種従来例のように、工場等のみを製造場所とし、工場等に固定設置された専用の展張機を使用して展張作業が行われていたのに比し、利便性，自在性が向上する。
【００１１】
《第２の効果》
第２に、もって輸送性やハンドリング性等の供給性が向上する。
本発明のハニカムコアの製造方法では、現地使用場所等の任意適宜場所を製造場所として、ハニカムコアを製造して使用に供する。
そこで、前述したこの種従来例のように、製造されたハニカムコアが嵩張って、現地使用場所等までの途中の供給性について、難を生じるケースは解消される。工場等の製造場所から、実際の現地使用場所等までの輸送性やハンドリング性等に、難が指摘されるケース発生は回避される。
なおブロック体は、未展張状態なので嵩張らず、輸送性やハンドリング性等の供給性に優れている。
【００１２】
《第３の効果》
第３に、このハニカムコアの製造方法を適用することにより、防壁を簡単，容易，迅速に形成可能となる。
本発明のハニカムコアの製造方法によると、ハニカムコアを、現地使用場所を製造場所として製造できるので、このハニカムコアを使用すれば、防壁を現地で簡単，容易，迅速に形成可能となる。
すなわち現地で、ハニカムコアを製造して、杭にて地面に固定することにより、簡単な作業により容易かつ短時間のうちに、早期に防壁を形成することができる。
このように、この種従来技術に存した課題がすべて解決される等、本発明の発揮する効果は、顕著にして大なるものがある。
【図面の簡単な説明】
【００１３】
【図１】本発明に係るハニカムコアの製造方法について、発明を実施するための形態の説明に供し、（１）図は、展張前の平面説明図、（２）図は、（１）図の要部分解図、（３）図は、展張後の平面説明図である。
【図２】同発明を実施するための形態の説明に供し、（１）図は、展張前の正面説明図、（２）図は、（１）図の要部拡大図、（３）図は、展張後の正面説明図である。
【図３】（１）図，（２）図は、同発明を実施するための形態の説明に供し、使用例の防壁を示す。そして（１）図は、要部の正面説明図、（２）図は、要部の側面説明図である。  （３）図は、陣地全体の航空写真である。（４）図は、この種従来例の説明に供し、重機を使用した防壁作業の写真である。
【図４】ハニカムコアの展張方式の製造工程の説明に供し、（１）図は、重積工程のブロック体の斜視図、（２）図は、展張工程の斜視図、（３）図は、製造されたハニカムコアの斜視図である。
【発明を実施するための形態】
【００１４】
以下、本発明について、図面を参照して詳細に説明する。
《ハニカムコア１の製造方法等について》
まず、ハニカムコア１の展張方式の製造方法について、図４を参照して一般的に説明しておく。
この製造方法では、母材シート５を、重積すると共に半ピッチずつずれた位置関係で条線接合し、もって得られたブロック体６を展張することにより、母材シート５にてセル壁２が形成され、ハニカムコア１が製造される。
これらについて、更に詳述する。
【００１５】
ａ．まず母材シート５としては、アルミニウム，ステンレス，その他の金属箔や、繊維強化プラスチック（ＦＲＰ）シート，その他の繊維シート材，プラスチックシート材や、紙材や、その他各種のシート材が使用される。
ｂ．そして母材シート５は、それぞれ一定幅とピッチで条線状に、接着剤４やろう材等の接合材が塗布される。これと共に母材シート５は、図４の（１）図に示したように多数枚が、塗布された接合材が、相互間で１枚毎に半ピッチずつずれた位置関係で、重積方向Ａに重積される。
ｃ．それから、このように重積された各母材シート５は、加熱加圧により接合材が溶融硬化して、相互間が条線状に接合される。もって、図４の（１）図に示したように、ブロック体６とされる。
ｄ．そして、このような重積，条線接合された母材シート５のブロック体６について、図４の（２）図に示したように、重積方向Ａを展張方向Ｂとして、引張力を加えて展張する。これにより母材シート５が、折曲，分離，離隔等されて展張される。
ｅ．もって、図４の（３）図に示したハニカムコア１が製造される。展張されたブロック体６の母材シート５にてセル壁２が形成され、セル壁２にて区画形成された、中空柱状の多数のセル３の平面的集合体よりなる、ハニカムコア１が製造される。
【００１６】
ハニカムコア１のセル壁２そしてセル３の断面形状は、図示の正六角形のものが代表的であるが、これによらず、縦長や横長の六角形状，略台形状，略四角形状，その他各種の形状のものが可能である。
図中Ｃは、セル３の軸方向いわゆるセル軸方向であり、展張方向Ｂやリボン方向Ｄとは直交する。展張方向Ｂとリボン方向Ｄとは、同一平面で直交する関係にある。
製造されたハニカムコア１は、展張方向Ｂやリボン方向Ｄに沿ってカットされると共に、セル軸方向Ｃの途中で必要な厚さにスライスされ、もって使用に供される。
ハニカムコア１は、周知のように、重量比強度（セル軸方向Ｃの圧縮強度）に優れ、軽量であると共に、高い強度や剛性を備えている。又、単位容積当りの表面積が大、その他の特性が知られている。
ハニカムコア１の製造方法等については、以上のとおり。
【００１７】
《本発明の概要》
まず、本発明の概要については、次のとおり。
本発明のハニカムコア１の製造方法は、上述した展張方式の製造方法において、ブロック体６を車輌Ｅに接続し、もって車輌Ｅの駆動牽引力にて展張を実施すること、を特徴とする。
すなわちブロック体６は、ハニカムコア１の現地使用場所，その他の任意適宜場所まで輸送された後、その場所にて展張用フレーム７が使用される。
すなわち、展張用フレーム７先端の拘束部８を、ブロック体６に連結すると共に、展張用フレーム７基端の取付部９を、車輌Ｅに連結してから、車輌Ｅを走行駆動させ、もって、その駆動牽引力を展張用の引張力として利用する。
本発明の概要については、以上のとおり。以下、このような本発明のハニカムコア１の製造方法について、更に詳述する。
【００１８】
《発明の詳細》
このハニカムコア１の製造方法では、まず、ブロック体６（図４の（１）図も参照）が、工場等で予め準備される。そして、多数枚の母材シート５が重積，条線接合されたブロック体６は、準備された工場等から、ハニカムコア１の現地使用場所、その他の任意適宜場所まで、輸送される。例えば航空機にて空輸される。
それから、この製造方法では、ブロック体６が、輸送された該場所において、図１の（１）図，図２の（１）図に示したように、車輌Ｅに対し展張用フレーム７を使用して、接続される。専用治具の展張用フレーム７については、次のとおり。
図示例の展張用フレーム７は、拘束部８，結合部１０，取付部９を備えてなる。そして、先端の拘束部８がブロック体６に連結され、基端の取付部９が車輌Ｅに連結され、中間の結合部１０が拘束部８と取付部９間を連結する。
【００１９】
図１の（２）図，図２の（２）図は、拘束部８等の一例を示す。この拘束部８は、ピン拘束式よりなり、縦断面略コ字状のバーフレーム１１と、バーフレーム１１の上端部や下端部に複数列設された縦のピン穴１２と、複数のピン１３とを備えている。
そして、ブロック体６側に対応して接着等により接合された複数のタブ穴部１４に対し、ピン穴１２をそれぞれ対応すべく位置合わせして、両者間にピン１３を挿通する。
図示例では、このようにして、展張用フレーム７の先端の拘束部８が、ブロック体６に連結される。なおタブ穴部１４は、事後ブロック体６から切断除去される。
【００２０】
さて、この製造方法では、該場所において、図１の（３）図，図２の（３）図に示したように、ブロック体６が、伝達された車輌Ｅの駆動牽引力にて展張される。
すなわち、前述したように展張用フレーム７の取付部９や拘束部８を使用して、車輌Ｅに接続された母材シート５のブロック体６は、車輌Ｅを走行駆動させることにより、展張される（図４の（２）図も参照）。
図示例では、２台の車両Ｅを反対方向に走行駆動させることにより、それぞれの駆動牽引力を、展張用の引張力として利用する。
このようにしてブロック体６は、展張方向Ｂに引張力が加えられて展張され、展張されたブロック体６の母材シート５にてセル壁２が形成されて、ハニカムコア１が製造される（図４の（３）図も参照）。
なお図示例では、２台の車両Ｅが使用されているが、これによらず、１台の車両Ｅを使用すると共に、ブロック体６の一側をその車輌Ｅに接続し、ブロック体６の他端を他に固定することによっても、本発明は成立可能である。
本発明の詳細については、以上のとおり。
【００２１】
《作用等》
本発明のハニカムコア１の製造方法は、以上説明したように構成されている。そこで以下のようになる。
（１）このハニカムコア１の製造方法は、展張方式よりなる。すなわち、多数枚の母材シート５を、重積すると共に半ピッチずつずれた位置関係で条線接合し、もって得られたブロック体６を展張することにより、各母材シート５にてセル壁２が形成され、ハニカムコア１が製造される（図４を参照）。
【００２２】
（２）そして本発明は、このような展張方式の製造方法において、車輌Ｅの駆動牽引力にて展張を実施することを、特徴とする。
【００２３】
（３）すなわち本発明の製造方法では、予め準備された母材シート５のブロック体６を、現地使用場所，その他の任意適宜場所まで輸送すると共に、展張用フレーム７を使用して現地の汎用車輌Ｅに接続する。
例えば、空輸して一般の汎用車輌Ｅに接続する（図１の（１）図，図２の（１）図を参照）。図示の展張用フレーム７は、ブロック体６へのピン拘束式の拘束部８と、車輌Ｅへの取付部９と、両者間の結合部１０とを、備えている（図１の（２）図，図２の（２）図も参照）。
そして、車輌Ｅの駆動牽引力を、展張用の引張力として伝達，利用することにより、ブロック体６を展張する（図１の（３）図，図２の（３）図を参照）。
【００２４】
（４）このように本発明では、現地使用場所，その他の任意適宜場所を展張場所，製造場所として、ハニカムコア１を製造する。
【００２５】
（５）そして、現地使用場所等の任意適宜場所を、ハニカムコア１の展張場所，製造場所とするので、ハニカムコア１が嵩張って（図４の（３）図を参照）、供給性に難を生じることは回避される。
ハニカムコア１は、その特性に鑑み、体積，大きさが大で嵩張るが、本発明では、その実際の使用場所等を展張場所，製造場所として、製造されて使用に供される。
従って、例えばサイズの大きなハニカムコア１の場合に、途中の空輸性，輸送性，搬送性やハンドリング性，取扱い性等の供給性について、デメリット発生は回避される。
【００２６】
（６）なお、展張対象の母材シート５のブロック体６は、未展張状態なので、その分、体積，大きさが小であり嵩張らない（図４の（１）図を参照）。もって、空輸性，輸送性，搬送性やハンドリング性，取扱い性等の供給性に優れている。
本発明の作用等については、以上のとおり。
【００２７】
《使用例》
本発明のハニカムコア１の製造方法について、その使用例の一例を、図３を参照して説明しておく。
防壁Ｆは、相手方からの攻撃，爆発負荷，衝撃負荷，弾丸，侵入等に対する防衛用として、例えば宿営地や陣地Ｇの外周に形成される（図３の（３）図を参照）。
そして従来の防壁Ｆとしては、盛土タイプやコンクリートブロックタイプが、代表的であった。そして、このような盛土やコンクリートブロック製の防壁Ｆは、その重量や構造に鑑み、大掛かりな設置工事を要すると共に、工事に長期間を要していた。
すなわち、ブルドーザー，クレーン車，掘削機，ショベルカー，ダンプカー，その他専用の重機Ｈ等が、使用されていた（図３の（４）図を参照）。そして、多くの労働力を伴う大掛かりな工事となっており、陣地Ｇ等の場合、特に早期形成，工期短縮化の要請が強かった。
【００２８】
これに対し本発明では、ハニカムコア１を、陣地Ｇ等の現地使用場所を製造場所として製造可能である。もって、このハニカムコア１を使用すれば、防壁Ｆを、現地で簡単，容易，迅速に形成可能となる（図１，図２を参照）。
すなわち、このハニカムコア１は、ブロック体６を陣地Ｇ等の現地使用場所に輸送し、専用治具の展張用フレーム７を使用して現地の汎用車輌Ｅに接続し、もって、その駆動牽引力を利用して展張されて製造される。
そして、製造されたハニカムコア１は、上下に形成した杭挿入穴１５に杭１６を貫挿することにより、地面Ｊに固定され、もって防壁Ｆとして使用される。
本発明の使用例については、以上のとおり。
【符号の説明】
【００２９】
Ａ    重積方向
Ｂ    展張方向
Ｃ    セル軸方向
Ｄ    リボン方向
Ｅ    車輌
Ｆ    防壁
Ｇ    陣地
Ｈ    重機
Ｊ    地面
１    ハニカムコア
２    セル壁
３    セル
４    接着剤
５    母材シート
６    ブロック体
７    展張用フレーム
８    拘束部
９    取付部
１０    結合部
１１    バーフレーム
１２    ピン穴
１３    ピン
１４    タブ穴部
１５    杭挿入穴
１６    杭
【図１】
2020015064.tif 000003
【図２】
2020015064.tif 000004
【図３】
2020015064.tif 000005
【図４】
2020015064.tif 000006